(57)【要約】【課題】有効画素領域の画素間のみに凸部を形成し、部分的に狭セルギャップ化を図った場合、高精細化に伴って１画素の大きさが小さくなり、画素ピッチが小さくなると、液晶セル表面の凹凸によってラビングが十分にされない領域ができるため液晶が配向しない。【解決手段】実使用時の波長５５０ｎｍでの液晶のリタデーションΔｎ・ｄが３００ｎｍ以上４５０ｎｍ以下で、かつ、波長が４００ｎｍ以上７００ｎｍ以下の範囲で、Δｎの波長分散が０．９以上１．３以下である液晶条件において、液晶のリタデーションΔｎ・ｄおよびツイスト角Ｔ（°）が、  （４．１２５・Ｔ＋１６．５）×０．９５＜Δｎ・ｄ＜（４．１２５・Ｔ＋１６．５）×１．０５、    ８０°＜Ｔ＜９０°  なる条件を満足するようにする。【選択図】図４
2006091608.tif 000002
【特許請求の範囲】
【請求項１】
液晶セルを含む画素が配置されてなる液晶パネルを有し、実使用時の波長５５０ｎｍでの液晶のリタデーションΔｎ・ｄ（Δｎ：屈折率異方性、ｄ（ｎｍ）：液晶セルの厚み）が３００ｎｍ以上４５０ｎｍ以下で、かつ、波長が４００ｎｍ以上７００ｎｍ以下の範囲で、屈折率異方性Δｎの波長分散が０．９以上１．３以下である液晶条件において、
液晶のリタデーションΔｎ・ｄおよびツイスト角Ｔ（°）が、
（４．１２５・Ｔ＋１６．５）×０．９５＜Δｎ・ｄ＜（４．１２５・Ｔ＋１６．５）×１．０５
８０°＜Ｔ＜９０°
なる条件を満足する
ことを特徴とする液晶表示装置。
【請求項２】
前記液晶パネルの光入射側および光出射側の少なくとも一方に配置され、光学軸が前記液晶パネルの主面に対して傾斜している２枚の光学補償フィルムを有する
ことを特徴とする請求項１記載の液晶表示装置。
【請求項３】
液晶セルを含む画素が配置されてなる液晶パネルをライトバルブとして用いたプロジェクタ装置であって、
前記液晶パネルは、
実使用時の波長５５０ｎｍでの液晶のリタデーションΔｎ・ｄ（Δｎ：屈折率異方性、ｄ（ｎｍ）：液晶セルの厚み）が３００ｎｍ以上４５０ｎｍ以下で、かつ、波長が４００ｎｍ以上７００ｎｍ以下の範囲で、屈折率異方性Δｎの波長分散が０．９以上１．３以下である液晶条件において、
液晶のリタデーションΔｎ・ｄおよびツイスト角Ｔ（°）が、
（４．１２５・Ｔ＋１６．５）×０．９５＜Δｎ・ｄ＜（４．１２５・Ｔ＋１６．５）×１．０５
８０°＜Ｔ＜９０°
なる条件を満足する
ことを特徴とするプロジェクタ装置。
【請求項４】
前記液晶パネルの光入射側および光出射側の少なくとも一方に配置され、光学軸が前記液晶パネルの主面に対して傾斜している２枚の光学補償フィルムを有する
ことを特徴とする請求項３記載のプロジェクタ装置。
【発明の詳細な説明】
【技術分野】
【０００１】
本発明は、液晶表示装置および当該液晶表示装置（液晶パネル）をライトバルブとして用いたプロジェクタ装置に関する。
【背景技術】
【０００２】
近年、ＬＣＤ(Liquid Crystal Display)、ＤＭＤ(Digital Micromirror Device)、ＬＣＯＳ(Liquid Crystal On Silicon)等のライトバルブ(light valve)を用いたプロジェクタ装置（投射型表示装置）の開発が盛んである。これらのプロジェクタ装置においては、今後ますます、高輝度化、高精細化、高画質化、低価格化が進むものと考えられる。これらは相互に密接に関係し合っており、それぞれの問題については一括して解決しなければならない。例えば、低価格化および小型化は、仮に同じフォーマットの表示装置であっても、画素の狭ピッチ化、微細化を伴って必然的に高精細化を伴うし、且つこれらを従来と最低同じ光利用効率（高輝度）を維持しつつ、更には画質も従来と同程度以上に向上しつつ達成していかねばならない。
【０００３】
高精細化については、現状、画素の能動素子としてＴＦＴ(Thin Film Transistor;薄膜トランジスタ)を用いた透過型ＬＣＤライトバルブ（液晶表示装置）においては、１８〜１４μｍ□の画素ピッチのものが主たる市場を形成しており、今後は、１４μｍ□以下、１０μｍ□程度の画素ピッチに進展していくものと考えられる。
【０００４】
現在、液晶表示装置（液晶パネル）をライトバルブとして用いた液晶プロジェクタ装置では、ＴＮ(Twisted Nematic;ツイステッドネマティック)型液晶が主流である。このＴＮ型液晶を用いた液晶プロジェクタ装置においては、液晶表示装置の液晶層と基板との界面における液晶分子のプレチルト成分のため、液晶セルへの電圧印加時（黒表示時）に、黒色に表示されるべき部分に明度が生じ、黒色を完全な黒色として表示できない、いわゆる黒浮き現象が起こり、コントラストが低下するという問題がある。
【０００５】
その対策として、例えば、ディスコティック液晶で形成された広視野角化フィルム（例えば、富士写真フィルム社製「ＷＶフィルム」（商品名））等、光学軸が界面に対して傾斜した位相差フィルムを２枚使用することにより、プレチルト成分を光学的に補償して、高コントラストを実現している。しかしながら、画素電位の極性の違いによる隣接画素間の電圧差に起因する横電界のため、光漏れの一部であるリバース・チルト・ドメイン（ＲＴＤ）が発生し、画素の狭ピッチ化（高精細化）に伴い、横電界の影響がより顕著になってきているのが現状である。
【０００６】
リバース・チルト・ドメインを抑制する方法として、例えば、液晶セルのギャップを狭くして、縦電界を強くする方法がある。しかしながら、セルギャップを狭くすると、光源（例えば、ランプ）の発光スペクトルの波長依存性で白表示のときの高波長領域（５７０〜７００ｎｍ）の透過率が減少して、ホワイトバランスが崩れるという問題が発生する。セルギャップを狭くしてホワイトバランスを保つには、ＮＤ(Neutral Density)フィルタを設けるなどして、青色乃至緑色の波長領域の透過率を下げなければならないが、そうすると、白表示のときの明るさが減少するためにあまり実用的であるとは言えない。
【０００７】
液晶プロジェクタ装置においては、一般的に、コントラストを維持するには、コントラストのピークが視野角中心にあることが望ましいため、液晶のツイスト角を９２°程度に設定している（例えば、特許文献１参照）。それで、ホワイトバランスを保つためには、一般的に、液晶のリタデーションΔｎ・ｄ（Δｎ：屈折率異方性（液晶の長短軸の屈折率の差）、ｄ：液晶セルの厚み（セルギャップ））は３８０乃至４１０ｎｍ程度である。
【０００８】
一方、ホワイトバランスを崩さずにリバース・チルト・ドメインを抑制するために、従来は、例えば、表示有効画素領域の画素間のみに凸部を形成し、部分的に液晶セルの厚みを薄くする（狭セルギャップ化する）ことによって縦電界を強め、相対的に横電界を弱めて、当該横電界の影響を抑えるようにしていた（例えば、特許文献２参照）。
【０００９】
【特許文献１】特開２００３−０６６４５７号公報
【特許文献２】特開２００１−１４２４１４号公報
【発明の開示】
【発明が解決しようとする課題】
【００１０】
しかしながら、表示有効画素領域の画素間のみに凸部を形成し、部分的に狭セルギャップ化を図る構成を採った場合、高精細化に伴って１画素の大きさが小さくなり、画素ピッチが小さくなると、液晶セル表面の凹凸によってラビングが十分にされない領域ができるため、液晶が配向しないという課題がある。
【００１１】
本発明は、上記課題に鑑みてなされたものであって、その目的とするところは、画素ピッチが小さくなっても、液晶を配向させ、かつ、ホワイトバランスを維持しつつリバース・チルト・ドメインの抑制を可能にした液晶表示装置および当該液晶表示装置をライトバルブとして用いたプロジェクタ装置を提供することにある。
【課題を解決するための手段】
【００１２】
本発明による液晶表示装置は、液晶セルを含む画素が配置されてなる液晶パネルを有し、実使用時の波長５５０ｎｍでの液晶のリタデーションΔｎ・ｄ（Δｎ：屈折率異方性、ｄ（ｎｍ）：液晶セルの厚み）が３００ｎｍ以上４５０ｎｍ以下で、かつ、波長が４００ｎｍ以上７００ｎｍ以下の範囲で、屈折率異方性Δｎの波長分散が０．９以上１．３以下である液晶条件において、液晶のリタデーションΔｎ・ｄおよびツイスト角Ｔ（°）が、
（４．１２５・Ｔ＋１６．５）×０．９５＜Δｎ・ｄ＜（４．１２５・Ｔ＋１６．５）×１．０５、    ８０°＜Ｔ＜９０°
なる条件を満足する構成を採っている。この液晶表示装置は、プロジェクタ装置において、ライトバルブとして用いられる。
【００１３】
ここで、屈折率異方性Δｎの波長分散とは、可視光波長域での屈折が波長依存性を示すことを言う。この屈折率異方性Δｎの波長分散は、波長が４００ｎｍ以上７００ｎｍ以下のときの屈折率異方性ΔｎをΔｎ１、波長が５５０ｎｍのときの屈折率異方性ΔｎをΔｎ２とするとき、Δｎ１／Δｎ２で与えられる。
【００１４】
上記構成の液晶表示装置または当該液晶表示装置（液晶パネル）をライトバルブとして用いたプロジェクタ装置において、液晶のリタデーションΔｎ・ｄを小さくする、具体的には上記の範囲内に設定すると、縦電界が強くなり、リバース・チルト・ドメインが抑えられる。ただし、液晶のリタデーションΔｎ・ｄを小さくすると、ホワイトバランスが崩れることが予想される。そこで、液晶のツイスト角Ｔを９２°よりも小さくする、具体的には８０°＜Ｔ＜９０°の角度に設定した上で液晶のリタデーションΔｎ・ｄを小さくすると、ホワイトバランスを維持しつつリバース・チルト・ドメイン（光漏れの一部）を抑制できる。
【発明の効果】
【００１５】
本発明によれば、液晶のリタデーションΔｎ・ｄおよび液晶のツイスト角Ｔの双方を最適化することで、ホワイトバランスを維持しつつリバース・チルト・ドメインを抑制することができ、しかも表示有効画素領域において部分的に狭セルギャップ化を図らなくて済むため、画素ピッチが小さくなっても液晶を配向させることができる。
【発明を実施するための最良の形態】
【００１６】
以下、本発明の実施の形態について図面を参照して詳細に説明する。
【００１７】
図１は、本発明が適用されるプロジェクタ装置、例えば３板式液晶プロジェクタ装置の光学系の概略を示す構成図である。
【００１８】
図１において、白色ランプ等の光源１１から発せられる白色光は、偏光変換素子１２でＰ偏光からＳ偏光に変換された後、フライアイレンズ１３で照明の均一化が図られてダイクロイックミラー１４に入射する。そして、特定の色成分、例えばＲ（赤色）の光成分のみがダイクロイックミラー１４を透過し、残りの色の光成分はダイクロイックミラー１４で反射される。ダイクロイックミラー１４を透過したＲの光成分は、ミラー１５で光路変更された後、レンズ１６Ｒを通してＲの液晶パネル１７Ｒに入射する。
【００１９】
ダイクロイックミラー１４で反射された光成分については、例えばＧ（緑色）の光成分がダイクロイックミラー１８で反射されるとともに、Ｂ（青色）の光成分が当該ダイクロイックミラー１８を透過する。ダイクロイックミラー１８で反射されたＧの光成分は、レンズ１６Ｇを通してＧの液晶パネル１７Ｇに入射する。ダイクロイックミラー１８を透過したＢの光成分は、レンズ１９を通過した後ミラー２０で光路変更され、さらにレンズ２１を通過した後ミラー２２で光路変更され、レンズ１６Ｂを通してＢの液晶パネル１７Ｂに入射する。
【００２０】
なお、図１には示していないが、液晶パネル１７Ｒ，１７Ｇ，１７Ｂの入射側および出射側にはそれぞれ偏光板が配置される。周知の通り、入射側および出射側の一対の偏光板を、偏光方向が互いに垂直（クロスニコル）になるように設置することでノーマリホワイトモードを設定でき、偏光方向が互いに平行（パラレルニコル）になるように設置することでノーマリブラックモードを設定できる。液晶パネル１７Ｒ，１７Ｇ，１７Ｂをそれぞれ通過したＲ，Ｇ，Ｂの各光成分は、ダイクロイックプリズム２３において合成される。そして、このダイクロイックプリズム２３で合成された光は、投射レンズ２４に入射し、当該投射レンズ２４によってスクリーン（図示せず）上に投射（投影）される。
【００２１】
次に、上記構成の液晶プロジェクタ装置に用いられる液晶パネル１７Ｒ，１７Ｇ，１７Ｂの具体的な実施例について説明する。
【００２２】
（実施例１）
最初に、白表示時（Ｖｓｉｇ＝０Ｖ；Ｖｓｉｇは液晶セルへの印加電圧）の液晶の屈折率異方性Δｎとセルギャップｄの積である液晶のリタデーションΔｎ・ｄとツイスト角Ｔ（°）の関係について説明する。
【００２３】
図２は、実施例１に係る液晶パネル１７Ｒ，１７Ｇ，１７Ｂにおける液晶の屈折率異方性Δｎの波長依存性を示す図である。ここで、屈折率異方性Δｎの波長分散（Δｎ１／Δｎ２）は、波長５５０ｎｍでの屈折率異方性Δｎ２をΔｎ２＝１としたときの各波長（４００〜７００ｎｍ）における屈折率異方性Δｎ１の相対比である。波長の低い領域（４００〜５００ｎｍ）では、波長分散Δｎ１/Δｎ２が１よりも高く、波長の高い領域（６００〜７００ｎｍ）では、波長分散Δｎ１/Δｎ２が１よりも低い。この傾向は、液晶材料の一般的な性質である。
【００２４】
液晶プロジェクタ装置において、ランプの発光スペクトルと、白表示時のホワイトバランスを考慮すると、波長５５０ｎｍ、液晶のツイスト角９２°においては、通常、液晶のリタデーションΔｎ・ｄは３９５±５％である。
【００２５】
図３に、液晶のリタデーションΔｎ・ｄとツイスト角の組み合わせによる分光透過率を示す。ここでは、液晶のリタデーションΔｎ・ｄ＝３９６ｎｍで、液晶のツイスト角度Ｔ＝９２°として、セルギャップｄを狭くすることで、リタデーションΔｎ・ｄを３８０ｎｍ，３６４ｎｍとして、液晶のツイスト角Ｔを８４°，８８°，９２°としたときの分光透過率を示している。
【００２６】
図３より、ツイスト角Ｔをより小さくすることで、白表示時のホワイトバランスを崩さずにセルギャップｄを小さくすることが可能であることがわかる。（Δｎ・ｄ（ｎｍ），ツイスト角（°））＝（３９６，９２）、（３８０，８８）、（３６４，８４）で、分光透過率は、ほぼ等しいと考えることができる。
【００２７】
すなわち、液晶のリタデーションΔｎ・ｄとツイスト角Ｔは、
Δｎ・ｄ＝４．１２５・Ｔ＋１６．５
という関係を満たせば、ホワイトバランスがほぼ同一であり、かつ、狭セルギャップ化が可能であると考えることができる。
【００２８】
図４に、ホワイトバランスを崩さない、液晶のツイスト角ＴとリタデーションΔｎ・ｄとの関係を示している。図４より、Δｎ・ｄ＝４．１２５・Ｔ＋１６．５(実線)に対して、±５％（破線）の範囲で、液晶のツイスト角ＴとリタデーションΔｎ・ｄとを設定すれば、ホワイトバランスを崩さずに、狭セルギャップ化が可能であることがわかる。
【００２９】
従来は、液晶のツイスト角Ｔが９２°程度で液晶のリタデーションΔｎ・ｄ≒３９５ｎｍ程度で設定されている。すなわち、図４にハッチングで示す領域の範囲で設計されていた。ホワイトバランスを考慮した場合、本発明では、ツイスト角を９０°以下に設定することにより、Δｎ・ｄ＝３７０ｎｍ以下でも可能であるということを意味している。すなわち、図４に網掛けで示す領域でも設計可能となっている。
【００３０】
ところで、液晶プロジェクタ装置において、一般的に、コントラストのピークを視野角中心（極角：０°）にもってくるとコントラストは高くなる。そのために、液晶のツイスト角Ｔを９２°程度に設定し、コントラストのピークを視野角中心にもっていくようにしている。液晶のツイスト角Ｔを９０°よりも若干（２°）大きくしているのは、液晶のカイラルピッチによる捩れ成分を考慮し、実効的なツイスト角が９０°になるようにするためである。
【００３１】
液晶のツイスト角Ｔを９２°よりも小さくすると、コントラストのピークは視野角中心からずれるために、コントラストが低下することが予想される。この点に鑑みてなされたのが、以下に説明する実施例２である。
【００３２】
（実施例２）
図５は、実施例２に係る３板式液晶プロジェクタ装置の光学系の要部の構成を示す構成図である。
【００３３】
本実施例２に係る３板式液晶プロジェクタ装置では、液晶パネル１７Ｒの光入射側および光出射側の２枚の偏光板３３（３３Ｒ，３３Ｇ，３３Ｂ），３４（３４Ｒ，３４Ｇ，３４Ｂ）間に、光学軸が液晶パネル１７Ｒの主面に対して傾斜している２枚の光学補償フィルム３１Ｒ，３２Ｒを、同じく、液晶パネル１７Ｇの光入射側および光出射側に２枚の光学補償フィルム３１Ｇ，３２Ｇを、液晶パネル１７Ｂの光入射側および光出射側に２枚の光学補償フィルム３１Ｂ，３２Ｂを配置した構成を採っている。
【００３４】
そして、２枚の光学補償フィルム３１（３１Ｒ，３１Ｇ，３１Ｂ），３２（３２Ｒ，３２Ｇ，３２Ｂ）の光学軸間の角度を、液晶のツイスト角に対応するように調整することにより、コントラストのピークを視野角中心にもっていくようにしている。すなわち、液晶パネル１７Ｒ，１７Ｇ，１７Ｂの前後の２枚の偏光板３３，３４間における光路中に２枚の光学補償フィルム３１，３２を配置することで、液晶のプレチルト成分を光学補償するとともに、２枚の光学補償フィルム３１，３２間の光学軸間の角度を最適化することで、液晶のツイスト角Ｔを９２°よりも小さくすることに伴うコントラストピークの視野角中心からのずれを光学補償することになる。
【００３５】
図６に、液晶のツイスト角を変化（ツイスト角：９２°，８８°，８４°）させたときの、光学補償フィルム無しと有りの場合の視野角特性を示す。このとき、液晶セルへの印加電圧ＶｓｉｇをＶｓｉｇ＝５Ｖとしている。図６において、内側の太い実線はコントラスト比＝２０００：１の場合を、一点鎖線はコントラスト比＝１０００：１の場合を、破線はコントラスト比＝５００：１の場合を、二点鎖線はコントラスト比＝２００：１の場合を、外側の細い実線はコントラスト比＝１００：１の場合をそれぞれ示している。
【００３６】
ここでは、光学補償フィルム３１，３２として、例えば、富士写真フィルム社製「ＷＶフィルム」（商品名）を使用して、極角：３０°までの視野角特性を求めている。光学補償フィルム有りのときの視野角特性は、２枚のＷＶフィルムの光学軸の角度を変化させ、コントラストのピークが視野角中心になるにしている。具体的には、液晶のツイスト角：９２°に対してＷＶフィルムの軸間の角度は９０°、液晶のツイスト角：８８°に対してＷＶフィルムの軸間の角度は８６°、液晶のツイスト角：８４°に対してＷＶフィルムの軸間の角度は８２°としている。
【００３７】
このように、液晶のツイスト角を９２°よりも小さくしても、２枚の光学補償フィルム３１，３２の軸間角度を、液晶のツイスト角に対応するように調整することにより、図６の視野角特性図から明らかなように、コントラストのピークを視野角中心にもっていくことが可能であることがわかる。
【００３８】
ここでは、光学補償フィルムとして、富士写真フィルム社製「ＷＶフィルム」を例として取り上げて説明したが、これに限られるものではなく、使用する２枚の光学補償フィルム３１，３２としては、平均の光学軸が液晶界面に対して傾斜しているものであれば、特に問題はない。例えば、水晶、サファイア、あるいは、新日本石油（株）製「ＮＨフィルム」（商品名）等を用いことも可能である。
【００３９】
次に、ツイスト角を変化させたときの画素周辺の光漏れの変化についてのシミュレーション結果について述べる。ここでは、液晶のリタデーションがΔｎ・ｄ＝３６４で、液晶のツイスト角、ＷＶフィルムの軸間角度がそれぞれ（液晶のツイスト角、ＷＶフィルムの軸間角度）＝（９２°，９０°）、（８８°，）、（８４°，８２°）で、画素周辺のミュレーションを実施した。
【００４０】
そのときのシミュレーション結果を図７に示す。このとき、画素電極側のラビングは、マイナスからプラスの方向に実施している。このシミュレーション結果より、ツイスト角を小さくしていくと、マイナス側の画素周辺の光漏れが増加していることがわかる。この結果より、ツイスト角を小さくしていくと、ゲート線（走査線）周辺のマイナス側の光漏れが増大して、逆のコントラストが低下する可能性があることが予想される。すなわち、ツイスト角度の下限あることが予想される。
【００４１】
なお、本実施例２では、２枚の光学補償フィルム３１（３１Ｒ，３１Ｇ，３１Ｂ），３２（３２Ｒ，３２Ｇ，３２Ｂ）を、液晶パネル１７Ｒ，１７Ｇ，１７Ｇの光入射側および光出射側に配置するとしたが、これに限られるものではなく、２枚の光学補償フィルム３１，３２を共に、２枚の偏光板３３，３４間において、液晶パネル１７Ｒ，１７Ｇ，１７Ｇの光入射側のみ、あるいは光出射側のみに配置することも可能であり、光入射側および光出射側に配置した場合と同様の作用効果を得ることができる。
【００４２】
以上説明したように、実使用時の波長５５０ｎｍでの液晶のリタデーションΔｎ・ｄが３００ｎｍ以上４５０ｎｍ以下で、かつ、波長が４００ｎｍ以上７００ｎｍ以下の範囲で、屈折率異方性Δｎの波長分散が０．９以上１．３以下である液晶条件において、液晶のリタデーションΔｎ・ｄを小さく、かつ、液晶のツイスト角を小さくする、具体的には
（４．１２５・Ｔ＋１６．５）×０．９５＜Δｎ・ｄ＜（４．１２５・Ｔ＋１６．５）×１．０５、    ８０°＜Ｔ＜９０°
なる条件を満足するようにすることで、白表示時のホワイトバランスを変化させずに、画素周辺の光漏れを抑制することができる。
【００４３】
また、液晶のツイスト角を小さくすることで起こる、コントラストピークの視野角中心からのずれに対応し、液晶の界面のプレチルト成分を光学補償する、２枚の光学補償フィルム３１，３２間の光学軸の角度を最適化することにより、コントラストピークの視野角中心からのずれについても光学的に補償することができる。
【００４４】
次に、液晶パネルを実際に試作して、上記の作用効果を確認した場合の測定例１，２について説明する。
【００４５】
（測定例１）
１画素の大きさが１２．５μｍの液晶パネル１７Ｒ，１７Ｇ，１７Ｂにおいて、液晶のリタデーションΔｎ・ｄとツイスト角を図８に示す条件表のように設定し、３板式液晶プロジェクタ装置（図１）を用いて投影し、白表示（Ｖｓｉｇ＝０Ｖ）時のパネル透過率およびコントラスト比(黒表示は、Ｖｓｉｇ＝５Ｖ)を測定する。
【００４６】
液晶のリタデーションΔｎ・ｄおよびツイスト角の測定方法としては、ストークス・パラメータ・メソッドを用いた方法（例えば、特開平１１−８３７３０号公報参照）、あるいは、回転検光子法等が知られている。ここでは、ストークス・パラメータ・メソッドを用いたＬＣＤアナライザ（名菱テクニカ（株）製）を用いて、液晶のリタデーションΔｎ・ｄおよびツイスト角の測定している。そのときのリタデーションΔｎ・ｄおよびツイスト角の測定結果を図９に、Ｒ，Ｇ，Ｂ各光のパネル透過率比を図１０に、Ｇ光のパネルコントラストを図１１に示す。
【００４７】
この測定結果より、Δｎ・ｄ＝３８０ｎｍで液晶のツイスト角８８°、Δｎ・ｄ＝３６４ｎｍで液晶のツイスト角８４°のパネル透過率は、Δｎ・ｄ＝３９６ｎｍでツイスト角９２°のパネル透過率に対して、Ｒ光、Ｇ光、Ｂ光の全てにおいて、パネル透過率比が±２％であり、ホワイトバランスが崩れていないことがわかる。また、液晶のリタデーションΔｎ・ｄを小さくすることにより、コントラストが上昇していることがわかる。
【００４８】
（測定例２）
次に、液晶のツイスト角度の下限値を調べるために、１画素の大きさが１２．５μｍの液晶パネル１７Ｒ，１７Ｇ，１７Ｂにおいて、液晶のリタデーションΔｎ・ｄとツイスト角を図１２に示す条件表のように設定し、３板式液晶プロジェクタ装置（図１）を用いて投影し、コントラスト比を測定する。その測定コントラスト比を重回帰分析した結果を図１３に示す。
【００４９】
この測定結果より、液晶のツイスト角が、８０°以上では、液晶のリタデーションΔｎ・ｄを小さくするとコントラストが上昇しているがわかる。一方、液晶のツイスト角が８０°以下では、逆にコントラストが減少していることがわかる。その結果、液晶のツイスト角度は８０°以上であることが望ましい。
【００５０】
なお、上記実施形態において、実施例２では、光学補償フィルム３１，３２を設けることで、液晶のツイスト角Ｔを９２°よりも小さくすることに伴うコントラストピークの視野角中心からのずれを補正するとしたが、光学補償フィルム３１，３２は必ずしも必須の構成要件ではなく、液晶プロジェクタ装置の光学系の調整によって上記コントラストピークの視野角中心からのずれを補正するようにすることも可能である。
【図面の簡単な説明】
【００５１】
【図１】本発明が適用される３板式液晶プロジェクタ装置の光学系の概略を示す構成図である。
【図２】実施例１に係る液晶パネルにおける液晶の屈折率異方性Δｎの波長依存性を示す図である。
【図３】液晶のリタデーションΔｎ・ｄとツイスト角の組み合わせによる分光透過率を示す図である。
【図４】ホワイトバランスを崩さない、液晶のツイスト角ＴとリタデーションΔｎ・ｄの関係を示す図である。
【図５】実施例２に係る光学系の要部の構成を示す構成図である。
【図６】液晶のツイスト角を変化させたときの、光学補償フィルム無しと有りの場合の視野角特性を示す図である。
【図７】ツイスト角を変化させたときの画素周辺の光漏れの変化についてのシミュレーション結果を示す図である。
【図８】測定例１での液晶のリタデーションΔｎ・ｄとツイスト角についての条件表を示す図である。
【図９】各条件でのリタデーションΔｎ・ｄおよびツイスト角の測定結果を示す図である。
【図１０】Ｒ，Ｇ，Ｂ各光のパネル透過率比を示す図である。
【図１１】Ｇ光のパネルコントラストを示す図である。
【図１２】測定例２での液晶のリタデーションΔｎ・ｄとツイスト角についての条件表を示す図である。
【図１３】コントラスト比を重回帰分析した結果を示す図である。
【符号の説明】
【００５２】
１１…光源、１２…偏光変換素子、１４，１８…ダイクロイックミラー、１７Ｒ，１７Ｇ，１７Ｂ…液晶パネル、２３…ダイクロイックプリズム、２４…投射レンズ、３１（３１Ｒ，３１Ｇ，３１Ｂ），３２（３２Ｒ，３２Ｇ，３２Ｂ）…光学補償フィルム，
【図１】
2006091608.tif 000003
【図２】
2006091608.tif 000004
【図３】
2006091608.tif 000005
【図４】
2006091608.tif 000006
【図５】
2006091608.tif 000007
【図６】
2006091608.tif 000008
【図７】
2006091608.tif 000009
【図８】
2006091608.tif 000010
【図９】
2006091608.tif 000011
【図１０】
2006091608.tif 000012
【図１１】
2006091608.tif 000013
【図１２】
2006091608.tif 000014
【図１３】
2006091608.tif 000015